(57)【要約】      （修正有）【課題】呼吸器アセンブリでは、排気中に汚染された吸気の全てが排気されないため、排気されなかった汚染吸気は、連続する新鮮な吸気の導入に対抗し、その結果患者には十分な酸素が与えられない。この欠点を回避しようとして、汚染された吸気を追い出すため、上記の人工呼吸器が新鮮な吸気を送る圧力を高める。然し、それでは、特に患者が子供である場合、患者を傷つける危険がある。この欠点を克服する呼吸器アセンブリを提供する。【解決手段】呼吸器アセンブリのプローブＩは一方向バルブ５、６を備えた、前端から後端まで平行に連結された２つ通路１、２からなる。プローブの２つの別個の通路の遠位端は、共通して、上記の患者の呼吸器系に挿入され、近位端は、共通して、各々一方向バルブを介して人口呼吸器の出口３に連結され、上記の一方向バルブの一方は、連結される通路の近位端から遠位端への方向に(気体を)流し、他方は、反対方向に流す。【選択図】図１
2008253754.tif 000002
【特許請求の範囲】
【請求項１】
−  出口(３)を備えた人工呼吸器(４)であって、この出口(３)を通ってこの人工呼吸器(４)は
・  患者の排気に対応する汚染された吸気パルスを受け取り、
・  この汚染された吸気パルスに応答して、上記の患者の吸気に対応する新鮮な吸気パルスを発生するものと、
−  呼吸器プローブであって、その遠位端は上記の患者の呼吸器系に挿入されるようになされ、その近位端は上記の人口呼吸器(４)の出口(３)に連結されているもの
とからなり、
−  上記のプローブ(Ｉ、II、III)は２つの別個の通路(１、２−１０、２０−１１−２０)からなり、
・  これらの遠位端は、共通して、上記の患者の呼吸器系に挿入されるようになされ、
・  それらの近位端は、共通して、各々一方向バルブ(５、６)を介して上記の人口呼吸器(４)の出口(３)に連結されており、
−  上記の一方向バルブの一方(５)は、それが連結されている通路の近位端から遠位端への方向に(吸気を)流し、その他方(６)は、それが連結されている、上記の通路の他方の遠位端から近位端への方向に流すことを特徴とする呼吸器アセンブリ。
【請求項２】
上記のプローブの２つの通路(１、２)が平行に配置されていることを特徴とする請求項１に記載の呼吸器アセンブリ。
【請求項３】
上記の２つの通路(１０、２０−１１、２０)が同軸であることを特徴とする請求項１に記載の呼吸器アセンブリ。
【請求項４】
上記のプローブが、
−  可撓性チューブにより構成された中央通路(２０)と
−  上記の軸方向可撓性チューブ(２０)を囲む可撓性スリーブ(１１)とにより構成された周方向通路と
からなることを特徴とする請求項３に記載の呼吸器アセンブリ。
【請求項５】
上記可撓性スリーブ(１１)の遠位端(１１ｄ)は上記の中央可撓性チューブ(２０)の遠位端(２０ｄ)に硬く結合されており、この可撓性チューブ(２０)はその遠位端近くに、上記の可撓性スリーブ(１１)の内側に配置された少なくとも１つの横断通路(１２)を備えることを特徴とする請求項４に記載の呼吸器アセンブリ。
【請求項６】
上記のプローブが口腔タイプのものであることを特徴とする請求項１から５のいずれか１項に記載の呼吸器アセンブリ。
【請求項７】
上記のプローブが鼻腔タイプのものであることを特徴とする請求項１から５のいずれか１項に記載の呼吸器アセンブリ。
【請求項８】
請求項１から７のいずれか１項に載された呼吸器アセンブリ用呼吸器プローブ。
【発明の詳細な説明】
【技術分野】
【０００１】
本発明は、人工呼吸器と呼吸器プローブとからなる呼吸器アセンブリに関し、この呼吸器プローブは患者の呼吸器系に挿入されるようになされた遠位端と、上記の人工呼吸器の出口に連結された近位端とを有し、この人工呼吸器は、患者により吐かれ、汚染された呼気パルスに応答して、上記の患者の吸気に対応する新鮮な呼気パルスを発生させる。
【背景技術】
【０００２】
この種の呼吸器アセンブリでは、新鮮な呼気と(炭酸ガスを負荷せられた)汚染呼気とは上記のプローブ中を反対方向ではなく、交互に流れる。更に、排気中、汚染された吸気の全てが排気されないことが普通である。
【発明の開示】
【発明が解決しようとする課題】
【０００３】
よって、この結果、排気されなかった汚染吸気は、連続する新鮮な吸気の導入に対抗し、その結果患者には十分な酸素が与えららない。この欠点を回避しようとして、汚染された吸気を追い出すため、上記の人工呼吸器が新鮮な吸気を送る圧力を高める。然し、それでは、特に患者が子供である場合、患者を傷つける危険がある。
【０００４】
本発明の目的は、この欠点を克服することである。
【課題を解決するための手段】
【０００５】
この目的のため、本発明による呼吸器アセンブリは、
−  出口を備えた人工呼吸器であって、この出口を通ってこの人工呼吸器は
・  患者の排気に対応する汚染された吸気パルスを受け取り、
・  この汚染された吸気パルスに応答して、上記の患者の吸気に対応する新鮮な吸気パルスを発生するものと、
−  呼吸器プローブであって、その遠位端は上記の患者の呼吸器系に挿入されるようになされ、その近位端は上記の人口呼吸器の出口に連結されているものと
からなり、
−  上記のプローブは２つの別個の通路からなり、
・  これらの遠位端は、共通して、上記の患者の呼吸器系に挿入されるようになされ、
・  それらの近位端は、共通して、各々一方向バルブを介して上記の人口呼吸器の出口に連結されており、
−  上記の一方向バルブの一方は、それが連結されている通路の近位端から遠位端への方向に(気体を)流し、その他方は、それが連結されている、上記の通路の他方の遠位端から近位端への方向に流すことを特徴とする。
【発明の効果】
【０００６】
よって、本発明によれば、残存する汚染吸気は、近位端から遠位端へ(吸気)を流す上記の一方向バルブを備えた吸気通路を通っての新鮮な吸気の導入に対抗できない。更に、導入された新鮮な吸気の作用によって残存し得る汚染吸気の、他方の呼吸通路を通っての排気に対抗するものは何も無い。よって、吸気を過剰圧で噴射する必要性が無い。
【０００７】
上記プローブの上記の通路は平行あるいは同軸上に配置できる。
【０００８】
同軸上に配置する場合、上記のプローブは、可撓性チューブから構成された中央通路と、この可撓性チューブを取り囲む可撓性スリーブにより構成された周方向通路とからなる。望ましい実施例では、この可撓性スリーブの遠位端は上記の可撓性チューブの遠位端に硬く結合されており、この可撓性チューブはその遠位端近くに、上記の可撓性スリーブの内側に配置された少なくとも１つの横断通路を備える。
【０００９】
上記のプローブは口腔あるいは鼻腔タイプのものでもよい。
【発明を実施するための最良の形態】
【００１０】
添付図面の図により本発明がどのように実施されるかが良く理解される。これらの図中、同一符号は同一要素を示す。
図１に示されている、本発明による呼吸器プローブＩは、それぞれ、可撓性チューブ１および２から構成された、平行な２つの別個の呼吸通路からなる。
【００１１】
上記のチューブ１と２は、それらの近位端で、共通して、(非常に部分的に示されている)人工呼吸器４の出口３に、一方向バルブ５と６とを介して連結されている。上記の可撓性チューブ１に装着されているバルブ５は、この可撓性チューブ１の近位端１ｐから遠位端１ｄに向けて(吸気を)流し、反対方向の流れは止める。他方、上記の可撓性チューブ２に装着されているバルブ６は、この可撓性チューブ２の遠位端２ｂから近位端２ｐに向けて(吸気を)流し、反対方向の流れは止める。
【００１２】
プローブＩは口腔タイプのものでもよいが、図２に略示されているように、鼻腔プローブとしての使用に特に適切である。この図では、患者の肺Ｐが略示されており、上記のチューブ１と２との遠位端１ｄと２ｄとはそれぞれ患者の鼻孔に挿入されている。
【００１３】
よって、上記の人工呼吸器４がプローブＩに、患者の吸気に対応する吸気パルスを送ると、このパルスは、図１の矢印ｆ１により示されているように、バルブ５とチューブ１とを通って上記の肺Ｐに伝達される。
【００１４】
他方、肺Ｐに存在する上記の吸気パルスに対応する汚染された吸気は肺から追い出されて、図１の矢印ｆ２により示されているように、チューブ２とバルブ６とを通って人工呼吸器４に送られる。この人工呼吸器４は、患者の排気に対応する汚染された吸気の到着を検知し、患者の吸気に対応する新しい吸気パルスを上記の肺Ｐに送れる。
【００１５】
上記のプローブＩにより、患者の肺Ｐへの吸気の導入はこの肺に存在する汚染された吸気により阻害されことはなく、他方、汚染された吸気は簡単に肺から取り除けられることが容易に分る。
【００１６】
図３は、本発明によるプローブIIを示し、このプローブIIでは、可撓性チューブ１０と２０とにより、それぞれ、形成された２つの別個の可撓性呼吸通路が、プローブＩの通路１と２のように平行である代わりに同軸である。この図３では、図１に関し記載されていて、上記のチューブ１０と２０の近位端１０ｐと２０ｐとが連結されている構成３、４、５および６が再度存在する。
【００１７】
上記のプローブIIは鼻腔タイプのものでもよいが、図４に示されているように、口腔タイプのものが望ましい。事実、この場合、同軸の可撓性チューブの遠位端１０ｄおよび２０ｄがカリーナ(竜骨状の突起)Ｃの近辺にくるまで、患者の呼吸器系に挿入される。よって、プローブIIの遠位端と肺Ｐとの間のデッド・スペースが最小限に減少される。
【００１８】
こうして、人工呼吸器４がプローブIIに、患者の吸気に対応する吸気パルスを送ると、このパルスは、図３の矢印ｆ１０に示されているように、バルブ５と周方向のチューブ１０とを介してカリーナ(竜骨状の突起)Ｃに伝達される。
【００１９】
他方、肺Ｐに存在する汚染された吸気は、図３矢印ｆ２０により示されているように、カリーナＣから中央チューブ２０を通って、肺から追い出される。それから、新しい吸気パルスが、肺Ｐに人工呼吸器４により送られる(矢印ｆ１０)。
【００２０】
図５は、図３に示されているプローブIIの変形例IIIを示す。このプローブIIIには、上記の構成３、４、５、６および２０が再度存在する。他方、周方向チューブ１０は可撓性スリーブ１１と代わっており、この可撓性スリーブ１１は中央チューブ２０を囲み、その近位端１１ｐはバルブ５に連結されており、その遠位端１１ｄは上記のチューブ２０の遠位端２０ｄに流体密に硬く結合されている。上記のチューブ２０はその遠位端２０ｄ近くに、可撓性スリーブ１１の内側に位置する横断通路１２を備える。この場合、上記の人工呼吸器４により生じた(矢印ｆ１０)吸気パルスが通路１２を横断し、中央チューブ２０の遠位端２０ｄを通って肺に送られる。プローブＩＩＩは、図４に示されているように、プローブＩＩと同じように用いられることは容易に理解される。
【図面の簡単な説明】
【００２１】
【図１】本発明の第１実施例の長手方向略横断面図である。
【図２】上記のプローブが鼻腔タイプのものである場合の、図１に示されている呼吸器アセンブリの患者への挿入を示す。
【図３】本発明の別実施例の長手方向略横断面図である。
【図４】図４は、上記のプローブが口腔タイプのものである場合の、図３に示されている呼吸器プローブの患者への挿入を示す。
【図５】本発明のさらに異なる実施例の長手方向略横断面図である。。
【符号の説明】
【００２２】
１・２・１０・１１・２０…通路、３…出口、４…人工呼吸器、５・６…一方向バルブ、１１ｄ・２０ｄ…遠位端、１２…横断通路、Ｉ・II・III…プローブ。
【図１】
2008253754.tif 000003
【図２】
2008253754.tif 000004
【図３】
2008253754.tif 000005
【図４】
2008253754.tif 000006
【図５】
2008253754.tif 000007